(57)【要約】  本発明の目的は、容易に且つ安価に製造され得る部品を使用して内燃機関を製造することである。内燃機関では、圧縮比及びバルブ制御時間を調節することにより、燃料が最適に燃焼され、従って、最大の有効動力が達成されながら、放出される有毒排気ガスは可能な限り少ない。更に、あらゆる液体燃料及び気体燃料が使用され得る。
2018535359.tif 000002
【特許請求の範囲】
【請求項１】
一方向に動く、図１にあるようなピストン（９）及びシリンダ（１０）。
【請求項２】
前記ピストン（９）及び前記シリンダ（１０）を動かすために、図１にあるような２つの等しい大きさの歯車（１及び２）を使用すること。
【請求項３】
前記ピストン（９）及び前記シリンダ（１０）を動かすために、図２にあるようなロッド（１２）及びクランク（４）を使用すること。
【請求項４】
図１にあるような外側ディスク（７）に対して内側ディスク（３）を再調節することにより、圧縮比を変更すること。
【請求項５】
図３にあるようなロータリゲートバルブ（１１）の意匠。
【請求項６】
図４及び５にあるような４分の１回転装置の意匠。
【請求項７】
図５にあるような、前記ロータリゲートバルブ（１１）のための調節装置。
【請求項８】
請求項１から７までのいずれか一項に記載の燃焼機関。
【請求項９】
請求項１から７までのいずれか一項に記載のポンプ。
【請求項１０】
請求項１から７までのいずれか一項に記載の圧縮機。
【発明の詳細な説明】
【技術分野】
【０００１】
ピストンが、通常のように、固定されたシリンダ内で上下に動かず、ピストン及びシリンダの両方が一方向に動く、４ストローク燃焼機関が開示される。これは、ピストンが下死点に到着すると、シリンダが、ピストンが上死点に到達するまでピストンの上を下方へ摺動することを意味する。それから、ピストンは、下死点に到着するまで、再び下方へ動く。このサイクルが連続的に円形内で繰り返される。
【発明の概要】
【課題を解決するための手段】
【０００２】
調節可能な圧縮及び調節可能なバルブ時間が、最適な燃焼を可能にする。最大のフィードスルー断面を有するばね無しのロータリゲートバルブにより、最良の充填が達成される。
【０００３】
従って、最高性能、排気ガス中の汚染物質を最小限にすること、及び、様々な燃料を利用することが可能となる。
【図面の簡単な説明】
【０００４】
【発明を実施するための形態】
【０００５】
遊星歯車（２）は、同じサイズの固定歯車（１）の周りを回転する。遊星歯車（２）は、内側ディスク（３）に支持される。このディスクは、固定歯車（１）の中心で支持される。遊星歯車（２）の半径と同じ長さのクランク（４）が、ピストンロッド（５）を介してレバー（６）を動かす。このレバー（６）は、一方の端部が外側ディスク（７）に支持される。他方の端部は、バー（８）を介してピストン（９）に連結される。シリンダ（１０）は、外側ロータリディスク（７）に固着される。圧縮制御装置（１３）を使用し、内側ディスク（３）は、外側ディスク（７）に沿って移動される。それにより、ピストンロッド（５）が引かれる又は押され、レバー（５）の位置及び圧縮比が変更される（図１）。
製造を簡易化するために、図２に示されるように、２つの歯車の代わりに、下側バー（１２）と、別のクランク（４）とが採用され得、内側ディスク（３）の支持は中心ではなく、かなり外側となる（図２）。
【０００６】
外側ディスク（７）に固着されたフリーホイールが、ディスクが逆回転することを防止する。
【０００７】
機能的原理
ディスク（３及び７）を回転させることにより、クランク（４）が回転され、ピストンロッド（５）を介してレバー（６）を押し、これにより、下死点に向かって下方へピストン（９）を引く。
【０００８】
ピストン（９）が下死点に到着すると、クランク（４）が、ピストンロッド（５）を逆方向に引くので、ピストンは、回転運動に対して静止する。しかし、外側ディスク（７）に留められたシリンダ（１０）は、ピストン（９）が上死点に到着するまで動き続ける。
【０００９】
ピストン（９）が上死点に到着すると、クランク（４）が、ピストンロッド（５）を再び押し、このようにして、ピストン（９）は、下死点に到着するまで下方へ動く。
【００１０】
この手順が１回転毎に１度繰り返される。これは、ピストン（９）が、１回転につき１度、上死点から下死点まで動き、上死点へ戻ることを意味する。
【００１１】
圧縮制御装置のねじ／ウォーム歯車（１３）を使用し、外側ディスク（７）に対する内側ディスク（３）の位置を変えることにより、レバー（６）の位置、従って、圧縮比が変更される。
【００１２】
半回転毎に、ロータリゲートバルブ（１１）は、４分の１回転ずつ回転する（図３）。それにより、ディスクの１回転後に吸入及び圧縮が達成され、次の回転後に作用（ｗｏｒｋ）及び排出が達成される。このようにして、燃焼機関の４ストローク（図３）が発生する。
【００１３】
ロータリゲートバルブ（図３）はシリンダであり、ガスは、底部で、吸入通路を介して入り、且つ、排気通路を介して出て行き（図６）、頂部で側部に固着されたパイプ端部を介して燃焼室に連通する（図３）。
【００１４】
４分の１バルブ回転装置（ｑｕａｒｔｅｒ  ｖａｌｖｅ  ｒｏｔａｔｉｏｎ  ｄｅｖｉｃｅ）が、ロータリゲートバルブ（１１）の頂部に配置される（図５）。１回転毎に、それは、固定された外側リングに固着された２つの対向するピンに２度当たり、毎度４分の１回転ずつ回転する（図４）。
【００１５】
このようにして、ロータリゲートバルブは、１回転毎に２度回転する（図３）。
【００１６】
４分の１バルブ回転装置（図５）を再調節することにより、バルブ開き時間が調節される。
【００１７】
噴射ノズル又はスパークプラグが、随意に配設されてもよい。同様に、燃焼室はいかなる形態であってもよい。
【００１８】
例えば図６のような２つのシリンダ機関などの複数のシリンダを有する機関を有することが可能である。
【符号の説明】
【００１９】
１  固定歯車
２  遊星歯車
３  内側ディスク
４  クランク
５  ピストンロッド
６  レバー
７  外側ディスク
８  バー
９  ピストン
１０  シリンダ
１１  ロータリゲートバルブ
１２  下側バー
１３  圧縮制御装置  ねじ／ウォーム歯車
【図１】
2018535359.tif 000003
【図２】
2018535359.tif 000004
【図３】
2018535359.tif 000005
【図４】
2018535359.tif 000006
【図５】
2018535359.tif 000007
【図６】
2018535359.tif 000008
【手続補正書】
【提出日】平成29年11月30日(2017.11.30)
【手続補正１】
【補正対象書類名】明細書
【補正対象項目名】０００６
【補正方法】変更
【補正の内容】
【０００６】
製造を簡易化するために、図２に示されるように、筐体に対して共に噛み合っている２つの歯車の代わりに、歯車の直径の長さの下側バー（１２）と、歯車の半径の長さの別のクランク（４）とが採用され得、内側ディスク（３）の支持は中心ではなく、かなり外側となる（図２）。
【手続補正２】
【補正対象書類名】特許請求の範囲
【補正対象項目名】全文
【補正方法】変更
【補正の内容】
【特許請求の範囲】
【請求項１】
有効動力が最大化されながら、効率的な燃料燃焼及び有毒排気ガスの最小化が達成され、全ての燃料の燃焼に適し、調節可能な圧縮比と調節可能なバルブ制御時間とを備えた４ストロークロータリピストン機関であって、
外側ディスク（７）と、
内側ディスク（３）と、
少なくとも１つのシリンダ（１０）と、
少なくとも１つのピストン（９）と、
少なくとも１つのピストンロッド（５）と
を備える、４ストロークロータリピストン機関であり、
前記機関は、外縁に固定リングが配設されたポット形状の円形筐体を備え、前記リングは、バルブ開き時間を調節するステップモータ及び再調節ねじを用いて再調節可能な部分であって、自由回転を防止する妨害を解除するための凹部を備える部分を有し、
前記外側ディスク（７）及び前記内側ディスク（３）は、同心円状に旋回可能であり、前記ディスク（３、７）が同一平面内にあるように、前記外側ディスク（７）は前記内側ディスク（３）を包囲し、前記内側ディスク（３）は、圧縮を調節する圧縮制御装置（１３）を用いて前記外側ディスク（７）に対して回転され得、
前記筐体の中心で固定的に取り付けられた固定歯車（１）、及び、前記固定歯車（１）と係合する同じサイズの遊星歯車（２）が、前記ディスク（３、７）の下に配設され、前記遊星歯車は、前記内側ディスク（３）を上方に貫通する前記遊星歯車のシャフト上に位置するクランク（４）を回転させ、前記クランクの長さは前記歯車の半径と等しく、前記遊星歯車（２）は、前記内側ディスク（３）に回転可能に取り付けられ、
前記クランク（４）は、前記外側ディスク（７）上で旋回される一方の端部を有するレバー（６）を、前記レバー（６）が、前記レバー（６）の他方の端部で旋回されるバー（８）を用いて、前記外側ディスク（７）に固着された前記シリンダ（１０）の中へ、且つ、中から外向きに前記ピストン（９）を押すように、前記ピストンロッド（５）を介して往復運動させ、
ロータリゲートバルブ（１１）が、前記シリンダ（１０）のヘッドに配置され、前記ロータリゲートバルブには、４分の１バルブ回転装置が取り付けられ、前記４分の１バルブ回転装置は、前記４分の１バルブ回転装置がピンに当たる毎に前記ロータリゲートバルブ（１１）を４分の１回転ずつ回転させることを特徴とする、４ストロークロータリピストン機関。
【請求項２】
前記固定歯車（１）と前記遊星歯車（２）との伝達比、及び、前記クランク（４）の前記長さにより、並びに、前記ディスクの回転運動により、前記クランク（４）は、前記ピストン（９）が、前記ピストンロッド（５）、前記レバー（６）、及び前記バー（８）を介して前記シリンダの中へ、且つ、中から外向きに動かされるように回転し、前記ピストン（９）が下死点に到着すると、前記ピストン（９）は前記シリンダ（１０）に対して静止し、前記シリンダ（１０）は、前記ピストン（９）が上死点に到着するまで前記ピストン（９）の上を更に動き、次に、前記クランク（４）が、前記下死点に再び到着するまで前記ピストン（９）を下方へ動かし、このサイクルが、前記ディスクの各回転中に繰り返されることを特徴とする、請求項１に記載の機関。
【請求項３】
有効動力が最大化されながら、効率的な燃料燃焼及び有毒排気ガスの最小化が達成され、全ての燃料の燃焼に適し、調節可能な圧縮比と調節可能なバルブ制御時間とを備えた４ストロークロータリピストン機関であって、
外側ディスク（７）と、
内側ディスク（３）と、
少なくとも１つのシリンダ（１０）と、
少なくとも１つのピストン（９）と、
少なくとも１つのピストンロッド（５）と
を備える、４ストロークロータリピストン機関であり、
前記機関は、外縁に固定リングが配設されたポット形状の円形筐体を備え、前記リングは、バルブ開き時間を調節するステップモータ及び再調節ねじを用いて再調節可能な部分であって、自由回転を防止する妨害を解除するための凹部を備える部分を有し、
前記外側ディスク（７）及び前記内側ディスク（３）は、同心円状に旋回可能であり、前記ディスク（３、７）が同一平面内にあるように、前記外側ディスク（７）は前記内側ディスク（３）を包囲し、前記内側ディスク（３）は、圧縮を調節する圧縮制御装置（１３）を用いて前記外側ディスク（７）に対して回転され得、
前記機関は、前記ディスク（３、７）の下に下側バー（１２）を備え、前記下側バーは、２つの等しい大きさの歯車（１、２）が、前記第１の歯車（１）が前記筐体の中心に固定的に取り付けられ、前記第２の遊星歯車（２）が、前記内側ディスク（３）に回転可能に取り付けられ、且つ、前記内側ディスク（３）を貫通するシャフトであって、クランク（４）を有し、前記クランク（４）の長さが前記クランク（４）に取り付けられた歯車（１、２）の半径と等しいシャフトに取り付けられた場合に係合する位置で、前記筐体に回転可能に取り付けられ、前記バー（１２）の長さは、歯車（１、２）の直径と等しく、
前記機関は、長さが歯車（１、２）の半径と等しい第２のクランクを備え、前記第２のクランクは、前記内側ディスク（３）を上方に貫通した、前記クランク（４）が配置されたシャフトに固着され、他方の端部で前記下側バー（１２）に回転可能に取り付けられ、それにより、前記下側バー（１２）及び前記第２のクランクが、２つの係合する歯車（１、２）として機能し、その結果、前記ディスク（３、７）が回転されると、前記ピストンロッド（５）が、２つの歯車と同じ方法で、レバー（６）及びバー（８）を介して前記ピストン（９）を前記シリンダ（１０）の中へ、且つ、前記シリンダ（１０）の中から外向きに動かすように、前記クランク（４）が回転する、４ストロークロータリピストン機関。
【請求項４】
前記制御装置（１３）を作動させることにより、前記クランク（４）が支持された前記内側ディスク（３）が、前記外側ディスク（７）に対して回転され、それにより、前記クランク（４）と前記外側ディスク（７）上に支持された前記レバー（６）との間の距離が短く又は長くなり、それにより、前記圧縮比が調節され得ることを特徴とする、請求項１から３までのいずれか一項に記載の機関。
【請求項５】
前記ロータリゲートバルブ（１１）は、前記シリンダ（１０）の端部でガス密に且つ回転可能に円形筐体内に配置された円形体であり、底部に２つの開口部を有し、前記開口部は、２つの別個の通路を介して側方開口部に通じ、４分の１回転毎に、前記側方開口部のうちの１つが、前記シリンダ（１０）に通じる前記筐体の開口部に到達すると、前記ロータリゲートバルブ（１１）は、前記出口から若しくは前記入口から下部の前記開口部に向かうそれぞれの流路を晒し、又は、圧縮若しくは点火のために前記流路を前記円形体の開口部を有さない側部で塞ぐことを特徴とする、請求項１から４までのいずれか一項に記載の機関。
【請求項６】
前記ロータリゲートバルブ（１１）の頂部に、十字形構造体を備える４分の１バルブ回転装置が配置され、前記４分の１バルブ回転装置は、その前記十字形構造体が、前記外縁上の前記調節可能な部分に固着された前記ピンに当たる毎に４分の１回転ずつ回転し、前記４分の１バルブ回転装置が前記凹部に到達したときに、前記４分の１バルブ回転装置の自由回転を前記外縁の一致曲率で防止する前記妨害が解除されることを特徴とする、請求項１から５までのいずれか一項に記載の機関。
【請求項７】
前記ピンと、前記凹部とを有する、自由回転を防止する前記外縁上の前記調節可能な部分を移動させることにより、前記ピンが、前記４分の１バルブ回転装置の前記十字形構造体のリムに当たる時間が調節され得、それにより、共に回転する前記ロータリゲートバルブ（１１）の前記底部に配置された前記開口部がより早く又はより遅く開放され、従って、前記バルブ開き時間が調節され得ることを特徴とする、請求項１から６までのいずれか一項に記載の機関。
【請求項８】
１つ又は複数のシリンダを備えることを特徴とする、請求項１から７までのいずれか一項に記載の機関。
【請求項９】
ポンプ又は圧縮機として動作可能であることを特徴とする、請求項１から８までのいずれか一項に記載の機関。
【国際調査報告】
2018535359.tif 000009
2018535359.tif 000010
2018535359.tif 000011
2018535359.tif 000012
2018535359.tif 000013
2018535359.tif 000014